(57)【要約】      （修正有）【課題】吐水モードを増加させることでより多くの機能を有している、多機能マイクロバブル吐水装置を提供する。【解決手段】本体１、マイクロバブルジェネレータ２、ミストジェネレータ３及び切替部材４を含み、前記本体は水路を有しており、前記切替部材は水路内に設置されており、前記切替部材はミストシャワー水吐水経路とマイクロバブル水吐水経路４２を有しており、前記切替部材は、前記ミストシャワー水吐水経路とマイクロバブル水吐水経路の一方を水路と連通させ、他方を水路から遮断するために用いられ、前記マイクロバブルジェネレータは前記マイクロバブル水吐水経路に装着されており、前記ミストジェネレータは前記ミストシャワー水吐水経路に装着されていることを特徴とする。【選択図】図３
0003235597.tif 000002
【実用新案登録請求の範囲】
【請求項１】
本体、マイクロバブルジェネレータ、ミストジェネレータ及び切替部材を含み、
前記本体は水路を有しており、前記切替部材は水路内に設置されており、前記切替部材はミストシャワー水吐水経路とマイクロバブル水吐水経路を有しており、前記切替部材は、前記ミストシャワー水吐水経路とマイクロバブル水吐水経路の一方を水路と連通させ、他方を水路から遮断するために用いられ、
前記マイクロバブルジェネレータは前記マイクロバブル水吐水経路に装着されており、前記ミストジェネレータは前記ミストシャワー水吐水経路に装着されていることを特徴とする多機能マイクロバブル吐水装置。
【請求項２】
前記切替部材は分水ダイヤルであって、前記マイクロバブル水吐水経路及び前記ミストシャワー水吐水経路としてマイクロバブル水室及びミスト水室がそれぞれ設けられており、前記分水ダイヤルは、回動可能に前記本体に接続されており、第１の位置と第２の位置の間で切り替えられることで、前記ミストシャワー水吐水経路及び前記マイクロバブル水吐水経路の一方を水路と連通させ、他方を水路から遮断することを特徴とする請求項１に記載の多機能マイクロバブル吐水装置。
【請求項３】
前記本体内には固定ベースが固定的に接続されており、前記固定ベースは前記水路と連通する吐水口を有しており、
前記吐水口の開口の周縁は、シールカップを介して切替ダイヤルに密封状に接続されており、前記分水ダイヤルが第１の位置又は第２の位置まで回動すると、前記ミストシャワー水吐水経路又はマイクロバブル水吐水経路が吐水口と連通することを特徴とする請求項２に記載の多機能マイクロバブル吐水装置。
【請求項４】
前記マイクロバブルジェネレータは前記マイクロバブル水室に装着されており、前記ミストジェネレータは前記ミスト水室に装着されていることを特徴とする請求項３に記載の多機能マイクロバブル吐水装置。
【請求項５】
更に、前記分水ダイヤルにおける固定ベースとは反対の側に設置されて、前記マイクロバブルジェネレータ及び前記分水ダイヤルを固定するマイクロバブルジェネレータ固定ベースを含むことを特徴とする請求項４に記載の多機能マイクロバブル吐水装置。
【請求項６】
更に、吐水カバーを含み、前記吐水カバーは、前記ミストシャワー水吐水経路及び前記マイクロバブル水吐水経路とそれぞれ連通するミストシャワー水及びマイクロバブル吐水孔を有していることを特徴とする請求項５に記載の多機能マイクロバブル吐水装置。
【請求項７】
前記吐水カバーと前記分水ダイヤルは固定的に接続されていることを特徴とする請求項６に記載の多機能マイクロバブル吐水装置。
【請求項８】
前記水路にはフィルタが設けられていることを特徴とする請求項１〜７のいずれか１項に記載の多機能マイクロバブル吐水装置。
【請求項９】
本体は、シャワーヘッド本体であって、ハンドルを有していることを特徴とする請求項８に記載の多機能マイクロバブル吐水装置。
【請求項１０】
前記ハンドルには前記フィルタが内蔵されていることを特徴とする請求項９に記載の多機能マイクロバブル吐水装置。
【考案の詳細な説明】
【技術分野】
【０００１】
本考案は吐水装置に関し、特に、マイクロバブル機能を備えた吐水装置に関する。
【背景技術】
【０００２】
社会の進歩や生活水準の向上に伴って、人々は生活の質をますます重視するようになっている。シャワーについて言えば、水流の肌触りや吐水の質、及び洗浄効果が重視され始めている。しかし、従来のシャワーヘッドはどれも吐出される水沫の肌触りが悪く、節水性能に劣っている。また、吐水形式が画一的であり、ユーザの多様なニーズを満たすことができない。
【考案の概要】
【考案が解決しようとする課題】
【０００３】
本考案が解決しようとする主な技術的課題は、吐水装置の吐水モードを増加させて、より多くの機能を持たせた多機能マイクロバブル吐水装置を提供することである。
【課題を解決するための手段】
【０００４】
本考案が解決しようとする副次的な技術的課題は、本体、マイクロバブルジェネレータ、ミストジェネレータ及び切替部材を含む多機能マイクロバブル吐水装置を提供することである。
【０００５】
前記本体は水路を有しており、前記切替部材は水路内に設置されている。前記切替部材は、ミストシャワー水吐水経路とマイクロバブル水吐水経路を有している。前記切替部材は、前記ミストシャワー水吐水経路とマイクロバブル水吐水経路の一方を水路と連通させ、他方を水路から遮断するために用いられる。
【０００６】
前記マイクロバブルジェネレータとミストジェネレータは、前記ミストシャワー水吐水経路及びマイクロバブル水吐水経路にそれぞれ装着されている。
【０００７】
好ましい実施例において、前記切替部材は分水ダイヤルであって、ミストシャワー水吐水経路及びマイクロバブル水吐水経路としてマイクロバブル水室及びミスト水室がそれぞれ設けられている。前記分水ダイヤルは、回動可能に本体に接続されており、第１の位置と第２の位置の間で切り替えられることで、前記ミストシャワー水吐水経路とマイクロバブル水吐水経路の一方を水路と連通させ、他方を水路から遮断する。
【０００８】
好ましい実施例において、前記本体内には固定ベースが固定的に接続されている。前記固定ベースは、前記水路と連通する吐水口を有している。
【０００９】
前記吐水口の開口の周縁は、シールカップを介して切替ダイヤルに密封状に接続されている。前記分水ダイヤルが第１の位置又は第２の位置まで回動すると、前記ミストシャワー水吐水経路又はマイクロバブル水吐水経路が吐水口と連通する。
【００１０】
好ましい実施例において、前記マイクロバブルジェネレータは前記マイクロバブル水室に装着されており、前記ミストジェネレータは前記ミスト水室に装着されている。
【００１１】
好ましい実施例において、更に、分水ダイヤルにおける固定ベースとは反対の側に設置されて、マイクロバブルジェネレータと分水ダイヤルを固定するマイクロバブルジェネレータ固定ベースを含む。
【００１２】
好ましい実施例において、更に、吐水カバーを含む。前記吐水カバーは、前記ミストシャワー水吐水経路及びマイクロバブル水吐水経路とそれぞれ連通するマイクロバブル吐水孔とミストシャワー水吐水孔を有している。
【００１３】
好ましい実施例において、前記吐水カバーと分水ダイヤルは固定的に接続されている。
【００１４】
好ましい実施例において、前記水路にはフィルタが設けられている。
【００１５】
好ましい実施例において、本体はシャワーヘッド本体であって、ハンドルを有している。
【００１６】
好ましい実施例において、前記ハンドルには前記フィルタが内蔵されている。
【考案の効果】
【００１７】
従来技術と比較して、本考案の技術方案は以下の有益な効果を有する。
【００１８】
１．本考案で提供する多機能マイクロバブル吐水装置は、マイクロバブル水とミストシャワー水という２種類の吐出水沫を有し得る。よって、肌の洗浄を実現しつつ、ミスト及びマイクロバブル水沫を有することも可能となり、シャワー体験が改良される。
【００１９】
２．本考案で提供する多機能マイクロバブル吐水装置は、水路内に水を濾過するフィルタが設置されている。これにより、吐出水の清潔度が保証されるため、ユーザのシャワー体験が更に向上する。
【図面の簡単な説明】
【００２０】
【図１】図１は、本考案の好ましい実施例の側面図である。
【図２】図２は、本考案の好ましい実施例の分解図である。
【図３】図３は、本考案の好ましい実施例におけるマイクロバブル水モード時の水路図である。
【図４】図４は、本考案の好ましい実施例におけるミストシャワー水モード時の水路図である。
【図５】図５は、本考案の好ましい実施例における切替ダイヤルの概略図である。
【図６】図６は、本考案の好ましい実施例における固定ベースの概略図である。
【図７】図７は、本考案の好ましい実施例における吐水カバーの概略図である。
【考案を実施するための形態】
【００２１】
以下に、本考案の実施例に係る図面を組み合わせて、本考案の実施例における技術方案につき明瞭簡潔に述べる。なお、言うまでもなく、ここで記載する実施例は本考案の一部の実施例にすぎず、全ての実施例ではない。本考案の実施例に基づいて、当業者が創造的労働を要することなく取得するその他全ての実施例は、いずれも本考案の保護の範囲に属する。
【００２２】
本考案の記載において、説明すべき点として、「上」、「下」、「内」、「外」、「天井／底端」等の用語で示される向き又は位置関係は、図示に基づく向き又は位置関係であって、本考案の記載の便宜上及び記載の簡略化のためのものにすぎず、対象となる装置又は部材が特定の向きを有し、特定の向きで構成及び操作されねばならないことを明示又は暗示するものではない。よって、本考案を制限するものと解釈すべきではない。また、「第１」、「第２」との用語は記載の便宜上のものにすぎず、相対的な重要性を明示又は暗示するものではない。
【００２３】
本考案の記載において、説明すべき点として、別途明確に規定及び限定している場合を除き、「装着する」、「設置されている」「覆設する／覆接する」、「接続する」等の用語は、広義に解釈すべきである。例えば、「接続する」とは、壁掛け式の接続であってもよいし、取り外し可能な接続であってもよいし、一体的な接続であってもよいし、機械的な接続であってもよいし、電気的な接続であってもよい。また、直接的な連なりであってもよいし、中間媒体を介した間接的な連なりであってもよいし、２つの部品内部の連通であってもよい。当業者であれば、具体的状況に応じて本考案における上記用語の具体的意味を解釈可能である。
【００２４】
図１〜図７を参照して、多機能マイクロバブル吐水装置は、本体１、マイクロバブルジェネレータ２、ミストジェネレータ３及び切替部材４を含む。
【００２５】
前記本体１は水路を有しており、前記切替部材４は水路内に設置されている。前記切替部材４は、ミストシャワー水吐水経路４１とマイクロバブル水吐水経路４２を有している。前記切替部材４は、前記ミストシャワー水吐水経路４１とマイクロバブル水吐水経路４２の一方を水路と連通させ、他方を水路から遮断するために用いられる。
【００２６】
前記マイクロバブルジェネレータ２は前記マイクロバブル水吐水経路４２に装着されており、前記ミストジェネレータ３は前記ミストシャワー水吐水経路４１に装着されている。
【００２７】
上記の吐水装置は、ユーザが切替部材４を操作することで、気泡水又はミストシャワー水を吐出可能である。よって、肌の洗浄を実現しつつ、ミスト又はマイクロバブル水沫を有することも可能となり、シャワー体験が改良される。
【００２８】
前記切替部材４は分水ダイヤルであって、前記ミストシャワー水吐水経路４１及びマイクロバブル水吐水経路４２としてミスト水室及びマイクロバブル水室がそれぞれ設けられている。前記分水ダイヤルは、回動可能に本体１に接続されており、第１の位置と第２の位置の間で切り替えられることで、前記マイクロバブル水室とミスト水室の一方を水路と連通させ、他方を水路から遮断する。
【００２９】
分水ダイヤルが第１の位置及び第２の位置にあるときに一方の室のみが水路と連通するよう、本体１と分水ダイヤルとの組み合わせを実現するために、前記本体１内には固定ベース１１が固定的に接続されている。前記固定ベース１１は、前記水路と連通する吐水口１２を有している。前記吐水口１２の開口の周縁は、シールカップ１３を介して切替ダイヤルに密封状に接続されている。前記分水ダイヤルが第１の位置又は第２の位置まで回動すると、前記ミストシャワー水吐水経路４１又はマイクロバブル水吐水経路４２が吐水口１２と連通する。このほか、固定ベース１１には位置決めピン１６が更に設けられており、分水ダイヤルには、第１の位置と第２の位置にそれぞれ対応する２つの位置決め孔が設けられている。これにより、分水ダイヤルが第１の位置又は第２の位置に到達すると、位置決めピン１６が位置決め孔に進入してユーザに知らせる。
【００３０】
吐水効果としてマイクロバブル効果とミストシャワー水効果を有し得るよう、前記マイクロバブルジェネレータ２は前記マイクロバブル水室に装着されており、前記ミストジェネレータ３は前記ミスト水室に装着されている。また、前記マイクロバブルジェネレータ２を固定するために、更に、分水ダイヤルにおける固定ベース１１とは反対の側に設置されて、マイクロバブルジェネレータ２と分水ダイヤルを固定するマイクロバブルジェネレータ固定ベース２１を含む。
【００３１】
本実施例では、吐水カバー５を更に含む。前記吐水カバー５は、前記ミストシャワー水吐水経路４１及びマイクロバブル水吐水経路４２とそれぞれ連通するマイクロバブル吐水孔５２とミストシャワー水吐水孔５１を有している。特に、マイクロバブル吐水孔５２は吐水カバー５の円心部分に位置しており、ミストシャワー水吐水孔５１はマイクロバブル吐水孔５２の外周に位置している。前記ミストジェネレータ３は、各ミストシャワー水吐水孔５１内に対応するよう装着されている。
【００３２】
本実施例において、前記吐水カバー５と分水ダイヤルは固定的に接続されている。これにより、ユーザが吐水カバー５を回動させれば分水ダイヤルも回動し、吐出水沫の切替を実現可能となる。
【００３３】
本実施例において、前記水路にはフィルタ１４が設けられている。これにより、水流を濾過可能となり、吐出水の清潔度が保証される。
【００３４】
本実施例において、本体１はシャワーヘッド本体１であって、ハンドル１５を有している。前記ハンドル１５には前記フィルタ１４が内蔵されている。本実施例の簡単な置き換えとして、吐水装置は水栓等のその他の吐水装置としてもよい。また、フィルタ１４は、ハンドル１５に限らず、吐水装置のその他の位置に装着してもよい。本実施例において、ハンドル１５と本体１は螺接される。こうすることで、ハンドル１５を本体１から取り外し可能となり、ユーザがフィルタ１４を交換するのに都合がよい。
【００３５】
以上は本考案の好ましい具体的実施形態にすぎず、本考案の設計思想はこれに限定されない。当業者が本考案で開示した技術範囲において当該思想を用いて本考案につき実施する実質的でない変更は、いずれも本考案の保護の範囲を侵害する行為に属する。
【図１】
0003235597.tif 000003
【図２】
0003235597.tif 000004
【図３】
0003235597.tif 000005
【図４】
0003235597.tif 000006
【図５】
0003235597.tif 000007
【図６】
0003235597.tif 000008
【図７】
0003235597.tif 000009